(57)【要約】【課題】  絶縁基板に形成される配線の形成密度を高めてコンパクト化を図る。【解決手段】  絶縁基板１２の上面に配線形成溝１６をほぼ渦巻状に形成し、この配線形成溝１６内における各側面に配線１４をほぼ渦巻状に連続させて形成した。従って、絶縁基板１２の面方向における配線１４の幅を配線１４の厚み程度にすることができ、これにより絶縁基板１２の面方向における配線１４の幅を大幅に小さくすることできる。このため、絶縁基板１２の上面における配線１４の形成密度を大幅に高めることができ、これによりアンテナ装置１１全体のコンパクト化を図ることができる。【選択図】        図６
2005184577.tif 000002
【特許請求の範囲】
【請求項１】
絶縁基板の少なくとも一面に配線形成溝をほぼ渦巻状に形成し、この配線形成溝内における側面に配線をほぼ渦巻状に連続させて形成したことを特徴とするアンテナ装置。
【請求項２】
前記配線形成溝はレーザ加工によって形成されていることを特徴とする請求項１に記載のアンテナ装置。
【請求項３】
絶縁基板の少なくとも一面に配線をほぼ渦巻状に形成すると共に、前記絶縁基板の少なくとも一側面にも配線を前記一面の配線にほぼ渦巻状に連続させて形成したことを特徴とするアンテナ装置。
【請求項４】
前記絶縁基板は、ほぼリング形状に形成されていることを特徴とする請求項１〜３のいずれかに記載のアンテナ装置。
【請求項５】
上面に時計ガラスが装着された腕時計ケースと、前記時計ガラスに対応して前記腕時計ケース内に設けられた時刻表示部と、この時刻表示部の周囲を囲んで前記腕時計ケース内に設けられたアンテナ装置とを備え、
前記アンテナ装置は、ほぼリング形状に形成された絶縁基板の少なくとも一面に配線形成溝をほぼ渦巻状に形成し、この配線形成溝内における側面に配線をほぼ渦巻状に連続させて形成した構成であることを特徴とする腕時計。
【請求項６】
上面に時計ガラスが装着された腕時計ケースと、前記時計ガラスに対応して前記腕時計ケース内に設けられた時刻表示部と、この時刻表示部の周囲を囲んで前記腕時計ケース内に設けられたアンテナ装置とを備え、
前記アンテナ装置は、ほぼリング形状に形成された絶縁基板の少なくとも一面に配線をほぼ渦巻状に形成すると共に、前記絶縁基板の少なくとも一側面にも配線を前記一面の配線にほぼ渦巻状に連続させて形成した構成であることを特徴とする腕時計。
【発明の詳細な説明】
【技術分野】
【０００１】
この発明は、無線式ＩＤ（ＲＦＩＤ）、電子タグ、トランスポンダと呼ばれ、電磁誘導によって無線でデータを送受信する装置に用いられるアンテナ装置、およびそのアンテナ装置を備えた腕時計に関する。
【背景技術】
【０００２】
従来、腕時計においては、基板にＩＣチップおよびアンテナを搭載したＲＦＩＤモジュールを腕時計ケース内に組み込み、電磁誘導によって無線でデータを送受信するようにしたものがある。
【０００３】
この種の腕時計は、時計チップやトランスポンダチップなどのＩＣチップおよびアンテナを基板に搭載してＲＦＩＤモジュールを構成し、このＲＦＩＤモジュールを腕時計ケース内に組み込んだ構成になっている。この場合、基板は腕時計ケース内の時刻表示部が見えるようにリング形状に形成されており、アンテナはそのリング形状の基板の表裏面の少なくとも一面に配線を渦巻状に形成した構成になっている。
【特許文献１】特表２０００−５０９８１３号公報
【発明の開示】
【発明が解決しようとする課題】
【０００４】
しかしながら、従来の腕時計に組み込まれているアンテナは、リング形状の基板の表裏面の少なくとも一面に形成される配線の線幅によって、配線の形成密度が限定される。このため、アンテナのコンパクト化を図るためには、配線の線幅を小さくして配線の形成密度を高める必要があるが、配線の線幅を必要以上に小さくすることができず、配線の形成密度を十分に高めることができないため、アンテナのコンパクト化には限界があるという問題がある。
【０００５】
このため、例えば渦巻状に形成された配線の最外径を一定の大きさに制限した場合には、渦巻状に形成された配線の最内径が配線の巻き数によって限定されることになり、配線の形成密度が低いと、配線の最内径が小さくなり、これに伴ってリング形状の基板の内径も小さくなるという問題が生じる。
【０００６】
このような問題は、腕時計ケース内にアンテナを組み込んだ場合、配線が形成されるリング形状の基板の外径を一定にすると、基板の内径が小さくなるため、リング形状の基板によって腕時計ケース内の時刻表示部の表示領域が狭くなり、表示領域を十分に確保することができないという問題が生じる。
【０００７】
この発明が解決しようとする課題は、絶縁基板に形成される配線の形成密度を高めることができ、これによりコンパクト化を図ることができるアンテナ装置、およびそのアンテナ装置を備えた腕時計を提供することにある。
【課題を解決するための手段】
【０００８】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図７に示すように、絶縁基板（１２）の少なくとも一面に配線形成溝（１６）をほぼ渦巻状に形成し、この配線形成溝内における側面に配線（１４）をほぼ渦巻状に連続させて形成したことを特徴とするアンテナ装置（１１）である。
【０００９】
請求項２に記載の発明は、図１〜図７に示すように、前記配線形成溝（１６）がレーザ加工によって形成されていることを特徴とする請求項１に記載のアンテナ装置である。
【００１０】
請求項３に記載の発明は、図８〜図１３に示すように、絶縁基板（２１）の少なくとも一面に配線（２２、２３）をほぼ渦巻状に形成すると共に、前記絶縁基板の少なくとも一側面にも配線（２４、２７）を前記一面の配線にほぼ渦巻状に連続させて形成したことを特徴とするアンテナ装置（２０）である。
【００１１】
請求項４に記載の発明は、図１〜図１３に示すように、前記絶縁基板（１２、２１）がほぼリング形状に形成されていることを特徴とする請求項１〜３のいずれかに記載のアンテナ装置（１１、２０）である。
【００１２】
請求項５に記載の発明は、図１〜図７に示すように、上面に時計ガラス（３）が装着された腕時計ケース（１）と、前記時計ガラスに対応して前記腕時計ケース内に設けられた時刻表示部（１０）と、この時刻表示部の周囲を囲んで前記腕時計ケース内に設けられたアンテナ装置（１１）とを備え、このアンテナ装置が、ほぼリング形状に形成された絶縁基板（１２）の少なくとも一面に配線形成溝（１６）をほぼ渦巻状に形成し、この配線形成溝内における側面に配線（１４）をほぼ渦巻状に連続させて形成した構成であることを特徴とする腕時計である。
【００１３】
請求項６に記載の発明は、図８〜図１３に示すように、上面に時計ガラス（３）が装着された腕時計ケース（１）と、前記時計ガラスに対応して前記腕時計ケース内に設けられた時刻表示部（１０）と、この時刻表示部の周囲を囲んで前記腕時計ケース内に設けられたアンテナ装置（２０）とを備え、このアンテナ装置が、ほぼリング形状に形成された絶縁基板（２１）の少なくとも一面に配線（２２、２３）をほぼ渦巻状に形成すると共に、前記絶縁基板の少なくとも一側面にも配線（２４、２７）を前記一面の配線にほぼ渦巻状に連続させて形成した構成であることを特徴とする腕時計である。
【発明の効果】
【００１４】
請求項１に記載の発明によれば、絶縁基板の少なくとも一面に配線形成溝をほぼ渦巻状に形成し、この配線形成溝内における側面に配線をほぼ渦巻状に連続させて形成したので、絶縁基板の面方向における配線の幅を配線の厚み程度にすることができ、これにより絶縁基板の面方向における配線の幅を大幅に小さくすることできるので、絶縁基板に形成される配線の形成密度を大幅に高めることができ、これにより装置全体のコンパクト化を図ることができる。
【００１５】
請求項２に記載の発明によれば、配線形成溝がレーザ加工によって形成されていることにより、絶縁基板の面方向における配線形成溝の溝幅を最小限に小さくすることができ、これによっても絶縁基板に形成される配線の形成密度を高めることができ、より一層、装置全体をコンパクトに形成することができる。
【００１６】
請求項３に記載の発明によれば、絶縁基板の少なくとも一面に配線をほぼ渦巻状に形成すると共に、絶縁基板の少なくとも一側面にも配線を前記一面の配線にほぼ渦巻状に連続させて形成したので、絶縁基板の側面に形成された配線の分だけ、絶縁基板の面方向におけるほぼ渦巻状に形成された配線全体の巻き幅を小さくすることができ、これにより絶縁基板に形成される配線の形成密度を高めることができると共に、装置全体のコンパクト化を図ることができる。
【００１７】
請求項４に記載の発明によれば、絶縁基板がほぼリング形状に形成されていることにより、その外径を一定の大きさに制限した場合、絶縁基板に形成される配線の形成密度が高いので、絶縁基板の内径を大きくすることができる。このため、例えばアンテナ装置が時刻表示部の周囲を囲んで腕時計に組み込まれた場合には、絶縁基板の内径を大きくすることができるので、時刻表示部の表示領域を十分に確保することができる。
【００１８】
請求項５に記載の発明によれば、時刻表示部の周囲を囲んで腕時計ケース内に設けられるアンテナ装置が、ほぼリング形状に形成された絶縁基板の少なくとも一面に配線形成溝をほぼ渦巻状に形成し、この配線形成溝内における側面に配線をほぼ渦巻状に連続させて形成した構成であるから、請求項１に記載の発明と同様、絶縁基板に形成される配線の形成密度を大幅に高めることができ、このため絶縁基板の外径を一定の大きさに制限した場合、請求項４に記載の発明と同様、絶縁基板の内径を大きくすることができ、これにより時刻表示部の表示領域を十分に確保することができる。
【００１９】
請求項６に記載の発明によれば、時刻表示部の周囲を囲んで腕時計ケース内に設けられるアンテナ装置が、ほぼリング形状に形成された絶縁基板の少なくとも一面に配線をほぼ渦巻状に形成すると共に、絶縁基板の少なくとも一側面にも配線を前記一面の配線にほぼ渦巻状に連続させて形成した構成であるから、請求項３に記載の発明と同様、絶縁基板に形成される配線の形成密度を高めることができ、このため請求項５に記載の発明と同様、絶縁基板の外径を一定の大きさに制限した場合、絶縁基板の内径を大きくすることができ、これにより時刻表示部の表示領域を十分に確保することができる。
【発明を実施するための最良の形態】
【００２０】
（実施形態１）
以下、図１〜図６を参照して、この発明のアンテナ装置を腕時計に適用した実施形態１について説明する。
図１はこの発明の腕時計の正面図、図２はそのＡ−Ａ矢視における断面図である。
この腕時計は、図１および図２に示すように、金属製の腕時計ケース１を備えている。この腕時計ケース１の外周面には、合成樹脂製のベゼル２が設けられており、この腕時計ケース１の上部には、時計ガラス３が装着されている。
【００２１】
また、この腕時計ケース１の内部には、図２に示すように、時計モジュール４が配置されており、腕時計ケース１の下面には、裏蓋５が防水リング６を介して取り付けられている。さらに、腕時計ケース１の外周部における３時側、６時側、９時側には、図１および図２に示すように、押釦スイッチ７がそれぞれ設けられており、この腕時計ケースの外周部には、時計ガラス３を保護するプロテクタ８が取り付けられている。
【００２２】
この場合、時計モジュール４は、デジタル機能とアナログ機能とのうち、少なくとも一方を備えたものであり、図２に示すように、ハウジング９を備えている。このハウジング９内には、時刻表示部１０が時計ガラス３に対応して設けられているほか、時計機能に必要な各種の部品（図示せず）が組み込まれている。この場合、時刻表示部１０は、デジタル機能の場合、液晶表示素子やＥＬ表示素子（エレクトロルミネッセンス表示素子）などの平面型の表示素子であり、アナログ機能の場合、アナログムーブメントによって指針が運針する構造のものである。
【００２３】
また、このハウジング９の上面には、アンテナ装置１１が時刻表示部１０の周囲を囲むように設けられている。このアンテナ装置１１は、図３および図４に示すように、全体がほぼリング形状に形成された絶縁基板１２を備えている。この絶縁基板１２は、その一部つまり１２時側（図３では上部側）が幅広に形成されている。この絶縁基板１２の幅広部分における下面には、図４に示すように、ＲＦＩＤチップ１３が設けられている。また、この絶縁基板１２の上下面には、図３〜図６に示すように、各配線１４、１５がほぼ渦巻状に設けられている。
【００２４】
すなわち、絶縁基板１２の上面には、図３、図５、および図６に示すように、配線形成溝１６がレーザ加工によって０．４ｍｍ程度の溝幅でほぼ渦巻状に形成されており、この配線形成溝１６内における各側面には、図６に示すように、上面側の配線１４が蒸着などによってそれぞれ設けられている。この場合、配線形成溝１６は、図６に示すように、その外周側が絶縁基板１２の上面におけるほぼ中間部分に形成され、内周側が絶縁基板１２の内周部における縁部に開放されて形成され、絶縁基板１２の１２時側付近において、外周側および内周側がそれぞれ不連続な状態になっている。
【００２５】
また、上面側の配線１４は、外周側の配線形成溝１６の両側面に設けられ、内周側の配線形成溝１６の片面のみに設けられ、その各側面から絶縁基板１２の上面に一部が設けられ、この上面に設けられた一部によって、配線形成溝１６が不連続であっても、配線１４が連続する１つの渦巻状になるように構成されている。
【００２６】
一方、下面側の配線１５は、図６に示すように、絶縁基板１２の下面に所定の線幅でほぼ渦巻状に形成されていると共に、ＲＦＩＤチップ１３が設けられる絶縁基板１２の個所において不連続な状態で形成されている。この場合、下面側の配線１５は、不連続の個所に対応する絶縁基板１２の上面に設けられた複数の接続配線１７にそれぞれスルーホール１８によって電気的に接続され、これにより連続する１つの渦巻状になるように構成されている。
【００２７】
これにより、上面側の配線１４は、その渦巻状の巻き数が全体で３巻きになるように形成されており、下面側の配線１５は、その渦巻状の巻き数が全体で２巻きになるように形成されている。そして、上下面の各配線１４、１５は、絶縁基板１２の１２時側の幅広部分において、直接またはスルーホール１８によってＲＦＩＤチップ１３と電気的に接続されている。
【００２８】
このような腕時計では、通常の腕時計と同様、腕時計ケース１の外部から時計ガラス３を通して時刻表示部１０で時刻などの情報を知ることができるほか、特に電磁界を発生する外部機器であるリーダライタに腕時計を接近させると、このリーダライタで発生した電磁界によって、腕時計ケース１内のアンテナ装置１１の各配線１４、１５に電磁誘導により電流が流れ、これによりリーダライタとアンテナ装置１１との間でデータの送受信ができる。
【００２９】
このように、このアンテナ装置１１では、絶縁基板１２の上面に配線形成溝１６をほぼ渦巻状に形成し、この配線形成溝１６内における各側面に配線１４をほぼ渦巻状に連続させて形成したので、絶縁基板１２の面方向における配線１４の幅を配線１４の厚み程度にすることができる。このため、絶縁基板１２の面方向における配線１４の幅を大幅に小さくすることできるので、絶縁基板１２の上面における配線１４の形成密度を大幅に高めることができ、これにより絶縁基板１２をコンパクトに形成することができると共に、アンテナ装置１１全体のコンパクト化を図ることができる。
【００３０】
特に、絶縁基板１２の上面の配線形成溝１６はレーザ加工によって形成されているので、絶縁基板１２の面方向における配線形成溝１６の溝幅を最小限に小さくすることができ、これによっても絶縁基板１２の上面に形成される配線１４の形成密度を高めることができ、より一層、絶縁基板１２をコンパクトに形成することができると共に、アンテナ装置１１全体のコンパクト化をも図ることができる。この場合、絶縁基板１２の下面にも、配線１５がほぼ渦巻状に形成されているので、これによっても配線密度を高めることができる。
【００３１】
このため、このアンテナ装置１１によれば、絶縁基板１２の全体をほぼリング形状に形成するときに、その外径を一定の大きさに制限した場合、絶縁基板１２に形成される配線１４、１５の形成密度が高いので、絶縁基板１２の内径を大きくすることができる。このため、このアンテナ装置１１が時刻表示部１０の周囲を囲んで組み込まれた腕時計では、絶縁基板１２の内径を大きくすることができるので、時刻表示部１０の表示領域を十分に確保することができる。
【００３２】
例えば、このアンテナ装置１１では、配線形成溝１６の溝幅が約０．４ｍｍで、上下面の配線１４、１５の各間隔が約０．３ｍｍであるから、絶縁基板１２の幅が約１．９ｍｍ（従来では約２．６ｍｍ）となり、絶縁基板１２の外径が約２４．４ｍｍの場合、その内径が約２０．６ｍｍ（従来では約１９．２ｍｍ）となる。このため、このアンテナ装置１１を腕時計ケース１内に組み込んだ場合には、時刻表示部１０の表示領域における３時および９時方向の内径幅が約１９．６ｍｍ（従来では約１８．２ｍｍ）で、１２時および６時方向の内径幅が約１４．１ｍｍ（従来では約１３．２ｍｍ）となり、従来の場合に比べて、時刻表示部１０の表示領域を大きくすることができる。
【００３３】
なお、上記実施形態１では、ほぼ渦巻状の配線形成溝１６のうち、外周側の配線形成溝１６を絶縁基板１２の上面におけるほぼ中間部分に形成し、内周側の配線形成溝１６を絶縁基板１２の内周側の縁部に形成した場合について述べたが、これに限らず、例えば図７に示す変形例のように、外周側の配線形成溝１６を絶縁基板１２の外周側の縁部に形成し、内周側の配線形成溝１６を絶縁基板１２の上面におけるほぼ中間部分に形成しても良い。この場合には、上面側の配線１４を外周側の配線形成溝１６内の片面のみに設け、内周側の配線形成溝１６内の両側面に設ければ良い。このように構成しても、実施形態１と同様の作用効果がある。
【００３４】
また、これに限らず、例えば、図示しないが、ほぼ渦巻状の配線形成溝のうち、外周側の配線形成溝を絶縁基板の外周側の縁部に形成し、中間部の配線形成溝を絶縁基板の上面におけるほぼ中間部分に形成し、内周側の配線形成溝を絶縁基板の内周側の縁部に形成しても良い。この場合には、上面側の配線を、外周側の配線形成溝内の片面と、中間部の配線形成溝内における両側面と、内周側の配線形成溝内の片面とにそれぞれ設けることができる。このため、絶縁基板を大きくすることなく、上面側の配線の巻き数を増やすことができ、これにより、より一層、配線の形成密度を高めることができる。
【００３５】
（実施形態２）
次に、図８〜図１２を参照して、この発明のアンテナ装置を腕時計に適用した実施形態２について説明する。なお、図１〜図６に示された実施形態１と同一部分には同一符号を付して説明する。
この腕時計は、アンテナ装置２０が実施形態１と異なる構造で、これ以外は実施形態１とほぼ同じ構造になっている。
【００３６】
すなわち、このアンテナ装置２０は、実施形態１と同様、ほぼリング形状の絶縁基板２１を備えている。この絶縁基板２１も、実施形態１と同様、その一部つまり１２時側（図８では上部側）が幅広に形成されている。この絶縁基板２１の幅広部分における下面には、図９に示すように、ＲＦＩＤチップ１３が設けられている。また、この絶縁基板２１の上下面には、図９〜図１２に示すように、配線２２、２３がほぼ渦巻状に設けられていると共に、この絶縁基板１２の外周部の側面にも、配線２４が設けられている。
【００３７】
この場合、絶縁基板２１の下面の配線２３は、図１０に示すように、ＲＦＩＤチップ１３が設けられる絶縁基板２１の個所で不連続な状態の渦巻状に形成され、図９に示すように、不連続な部分に対応する絶縁基板２１の上面に設けられた複数の接続配線２５にそれぞれスルーホール２６によって電気的に接続され、これにより連続する１つの渦巻状に構成されている。また、絶縁基板２１の上下面の配線２２、２３は、図１２に示すように、所定の線幅（例えば約０．４ｍｍ）で形成され、その各配線２２、２３の各間隔が各配線２２、２３の線幅よりも少し狭い間隔（例えば約０．３ｍｍ）でそれぞれ形成されている。これら各配線２２、２３は、その渦巻状の巻き数がそれぞれ２巻きになるように構成されている。
【００３８】
一方、絶縁基板２１の外周部の側面に形成された配線２４は、図９および図１０に示すように、絶縁基板２１の外周部に沿ってほぼ全周に設けられ、その上下端部が図１２に示すように絶縁基板２１の上下面に僅かな幅（例えば約０．２ｍｍ）で形成されている。この側面の配線２４は、その各端部のうち、一方の端部が上面側の配線２２の最外周端部に接続され、これにより上面側の配線２２に連続して一つの渦巻状をなすように構成されている。この場合にも、上下面の各配線２２、２３および側面の配線２４は、図９〜図１１に示すように、絶縁基板２１の１２時側の幅広部分において、連続する渦巻状の各端部が直接またはスルーホール２６を介してＲＦＩＤチップ１３と電気的に接続されている。
【００３９】
このような腕時計においても、実施形態１と同様、通常の腕時計と同様、腕時計ケース１の外部から時計ガラス３を通して時刻表示部１０で時刻などの情報を知ることができるほか、特に電磁界を発生する外部機器のリーダライタに腕時計を接近させると、このリーダライタで発生した電磁界によって、腕時計ケース１内のアンテナ装置２０の各配線２２〜２４に電磁誘導により電流が流れ、これによりリーダライタとアンテナ装置２０との間でデータの送受信ができる。
【００４０】
このように、このアンテナ装置２０では、絶縁基板２１の上下面にそれぞれ各配線２２、２３をほぼ渦巻状に形成すると共に、絶縁基板２１の外周部の側面にも配線２４を上面側の配線２２に連続させてほぼ渦巻状になるように形成したので、絶縁基板２１の外周部の側面に形成された配線２４の分だけ、絶縁基板２１の面方向におけるほぼ渦巻状の配線２２、２４全体の巻き幅を小さくすることができ、これにより絶縁基板２１における各配線２２、２４全体の形成密度を高めることができると共に、絶縁基板２１をコンパクトに形成することができる。特に、絶縁基板２１の下面にも、配線２３をほぼ渦巻状に形成しているので、これによっても配線密度を高めることができ、アンテナ装置２０全体のコンパクト化を図ることができる。
【００４１】
このため、このアンテナ装置２０によれば、絶縁基板２１の全体をほぼリング形状に形成するときに、実施形態１と同様、その外径を一定の大きさに制限した場合、絶縁基板２１における各配線２２〜２４全体の形成密度が高いので、絶縁基板２１の内径を大きくすることができる。このため、このアンテナ装置２０が時刻表示部１０の周囲を囲んで組み込まれた腕時計では、絶縁基板２１の内径を大きくすることができるので、時刻表示部１０の表示領域を十分に確保することができる。
【００４２】
例えば、このアンテナ装置２０では、上下面の配線２２、２３の各線幅が約０．４ｍｍで、その各間隔が約０．３ｍｍで、側面の配線２４の各上下部の幅が約０．２ｍｍであるから、絶縁基板２１の幅が約２．０ｍｍ（従来では約２．６ｍｍ）となり、絶縁基板２１の外径が約２４．２ｍｍの場合、その内径が約２０．２ｍｍ（従来では約１９．２ｍｍ）となる。このため、図８に示すように、このアンテナ装置２０を腕時計ケース１内に組み込んだ場合には、時刻表示部１０の表示領域における３時および９時方向の内径幅が約１９．２ｍｍ（従来では約１８．２ｍｍ）で、１２時および６時方向の内径幅が約１４．１ｍｍ（従来では約１３．２ｍｍ）となり、実施形態１と同様、従来の場合に比べて、時刻表示部１０の表示領域を大きくすることができる。
【００４３】
なお、上記実施形態２では、絶縁基板２１の上下面にそれぞれ配線２２、２３を設けると共に、絶縁基板２１の外周部の側面にも配線２４を上面側の配線２２に連続させて設けた場合について述べたが、これに限らず、例えば図１３に示す変形例のように、絶縁基板２１の上下面にそれぞれ配線２２、２３を設けると共に、絶縁基板２１の内周部の側面に配線２７を上面側の配線２２または下面側の配線２３に連続させて設けた構成でも良い。この場合にも、実施形態２と同様の作用効果がある。
【００４４】
また、これに限らず、図示しないが、絶縁基板の上下面にそれぞれ配線を設けると共に、絶縁基板の外周部と内周部との両方の各側面にも配線をそれぞれ上下面のうちの一方の配線に連続させて設けても良い。このようにすれば、絶縁基板を大きくせずに、配線の巻き数を増やすことができ、より一層、絶縁基板に形成される配線の形成密度を高めることができる。
【００４５】
さらに、上記実施形態１、２、およびその各変形例では、アンテナ装置１１、２０を腕時計に適用した場合について述べたが、これに限らず、携帯電話機、電子辞書、電子カメラ、ＰＤＡ（パーソナル・デジタル・アシスタント）などの電子機器に適用することができるほか、非接触型のＩＣカードなどにも広く適用することができる。
【図面の簡単な説明】
【００４６】
【図１】この発明のアンテナ装置を適用した腕時計の正面図である。（実施形態１）
【図２】図１のＡ−Ａ矢視における断面図である。
【図３】図２のアンテナ装置を上方から見た上面図である。
【図４】図２のアンテナ装置を下方から見た下面図である。
【図５】図３のＢ−Ｂ矢視付近を拡大した上面図である
【図６】図３のＢ−Ｂ矢視における拡大断面図である。
【図７】実施形態１の変形例を示した要部の拡大断面図である。
【図８】この発明のアンテナ装置を適用した腕時計の正面図である。（実施形態２）
【図９】図８の腕時計に組み込まれるアンテナ装置の上面図である。
【図１０】図９のアンテナ装置の下面図である。
【図１１】図９の１２時側における要部を拡大した上面図である。
【図１２】図９のＣ−Ｃ矢視における拡大断面図である。
【図１３】実施形態２の変形例を示した要部の拡大断面図である。
【符号の説明】
【００４７】
１  腕時計ケース
３  時計ガラス
４  時計モジュール
１０  時刻表示部
１１、２０  アンテナ装置
１２、２１  絶縁基板
１３  ＲＦＩＤチップ
１４、２２  上面側の配線
１５、２３  下面側の配線
１６  配線形成溝
１７、２５  接続配線
１８、２６  スルーホール
２４、２７  側面の配線
【図１】
2005184577.tif 000003
【図２】
2005184577.tif 000004
【図３】
2005184577.tif 000005
【図４】
2005184577.tif 000006
【図５】
2005184577.tif 000007
【図６】
2005184577.tif 000008
【図７】
2005184577.tif 000009
【図８】
2005184577.tif 000010
【図９】
2005184577.tif 000011
【図１０】
2005184577.tif 000012
【図１１】
2005184577.tif 000013
【図１２】
2005184577.tif 000014
【図１３】
2005184577.tif 000015